(57)【要約】【課題】広告媒体として利用可能な光ディスクメディア、コンテンツ記録ディスク作成システム、コンテンツ記録ディスク作成システムの制御方法およびそのプログラムを提供することを目的とする。【解決手段】所定時間だけ広告映像を再生させるための広告データの記録対象となる広告データ領域Ｅ１１と、広告データの記録後に追記可能な通常データの記録対象となる通常データ領域Ｅ１２と、を有するＤＶＤ−Ｒメディア７２である。【選択図】図２
2007280457.tif 000002
【特許請求の範囲】
【請求項１】
所定時間だけ広告映像を再生させるための広告データの記録対象となる広告データ領域
と、
前記広告データの記録後に追記可能な通常データの記録対象となる通常データ領域と、
を有していることを特徴とする光ディスクメディア。
【請求項２】
前記広告データ領域は、前記通常データを追記してファイナライズされた場合、書き換
え不能にフォーマットされていることを特徴とする請求項１に記載の光ディスクメディア
。
【請求項３】
前記広告データ領域は、リードイン領域の外周側に形成され、前記通常データ領域は、
前記広告データ領域の外周側に形成されていることを特徴とする請求項１または２に記載
の光ディスクメディア。
【請求項４】
請求項１ないし３のいずれか１項に記載の光ディスクメディアに、コンテンツファイル
の記録サービスを行うコンテンツ記録ディスク作成システムであって、
光ディスクメディアに記録される複数のコンテンツファイルを記憶するコンテンツ記憶
部と、
前記光ディスクメディアを収容可能な光ディスクメディア収容部と、
前記コンテンツ記憶部に記憶されている複数の前記コンテンツファイルの中から所望の
コンテンツファイルを検索および選択するための操作部と、
各種情報を表示する表示部と、
前記光ディスクメディアに書き込みを行う光ディスク記録部と、
前記光ディスクメディアを取り出すための光ディスクメディア取り出し部と、
前記コンテンツファイルの検索候補、並びに前記操作部により選択されたコンテンツフ
ァイルのタイトルおよび／またはその解説を含む内容情報を前記表示部に表示する表示手
段と、
前記光ディスクメディア収容部から搬出された前記光ディスクメディアの前記通常デー
タ領域に対し、前記操作部により選択された前記コンテンツファイルを前記光ディスク記
録部により記録するコンテンツ記録手段と、
前記コンテンツファイルの記録が完了した作成済み光ディスクを前記光ディスクメディ
ア取り出し部に排出する光ディスクメディア排出手段と、
前記表示手段、前記コンテンツ記録手段および前記光ディスクメディア排出手段を制御
する中央制御手段と、
を備えていることを特徴とするコンテンツ記録ディスク作成システム。
【請求項５】
前記光ディスクメディア収容部に収容されている前記光ディスクメディアの前記広告デ
ータ領域には、前記広告データが予め記録されていることを特徴とする請求項４に記載の
コンテンツ記録ディスク作成システム。
【請求項６】
前記中央制御手段は、前記光ディスクメディアの前記広告データ領域に、前記広告デー
タを前記光ディスク記録部により記録する広告データ記録手段をさらに制御することを特
徴とする請求項４に記載のコンテンツ記録ディスク作成システム。
【請求項７】
前記広告データとして記録するための複数の広告データファイルを記憶する広告データ
記憶部をさらに備え、
前記広告データ記録手段は、前記広告データ記憶部から前記操作部により選択された前
記コンテンツファイルに関連する広告データファイルを抽出し、抽出した当該広告データ
ファイルを記録することを特徴とする請求項６に記載のコンテンツ記録ディスク作成シス
テム。
【請求項８】
前記中央制御手段は、
前記操作部による前記コンテンツファイルの選択結果に基づいて、前記光ディスクメデ
ィアのレーベル面に印刷するレーベル印刷データを生成するレーベル印刷データ生成手段
と、
前記コンテンツ記録手段による記録前後の前記光ディスクメディアに対し、前記レーベ
ル印刷データ生成手段により生成された前記レーベル印刷データを印刷する印刷手段と、
をさらに制御し、
前記光ディスクメディア排出手段は、前記コンテンツファイルおよび前記広告データの
記録、並びに前記レーベルの印刷を完了した光ディスクメディアを前記メディア取り出し
部に排出することを特徴とする請求項７に記載のコンテンツ記録ディスク作成システム。
【請求項９】
前記レーベル印刷データ生成手段は、前記操作部により選択された前記コンテンツファ
イルに関連する広告データファイルに基づいて、前記レーベル印刷データを生成すること
を特徴とする請求項８に記載のコンテンツ記録ディスク作成システム。
【請求項１０】
前記中央制御手段は、前記コンテンツファイルおよび前記広告データファイルの再生順
位を設定する再生順位設定手段をさらに制御し、
前記コンテンツ記録手段および前記広告データ記録手段は、設定された再生順位に基づ
いて、選択された前記コンテンツファイルおよび抽出された前記広告データファイルを、
前記光ディスクメディアに記録することを特徴とする請求項６ないし９のいずれか１項に
記載のコンテンツ記録ディスク作成システム。
【請求項１１】
コンテンツファイルを記憶するコンテンツファイル記憶部と、広告データファイルを記
憶する広告データファイル記憶部と、を有し、前記コンテンツファイルおよび前記広告デ
ータファイルを光ディスクメディアに記録して顧客に提供するコンテンツ記録ディスク作
成システムの制御方法であって、
前記コンテンツファイル記憶部に記憶されている前記コンテンツファイルのタイトルお
よび／またはその解説を含む内容情報を表示するステップと、
表示した前記コンテンツファイルの中から所望のコンテンツファイルを選択させるステ
ップと、
前記広告データファイル記憶部から、選択されたコンテンツファイルに関連する広告デ
ータファイルを抽出するステップと、
前記コンテンツファイルおよび前記広告データファイルの再生順位を設定するステップ
と、
設定された再生順位に基づいて、選択された前記コンテンツファイルと、抽出された前
記広告データファイルとを、前記光ディスクメディアに記録するステップと、
記録後の前記光ディスクメディアをファイナライズするステップと、
前記ファイナライズ後の光ディスクメディアを排出するステップと、を備えていること
を特徴とするコンテンツ記録ディスク作成システムの制御方法。
【請求項１２】
選択された前記コンテンツファイルおよび／または抽出された前記広告データファイル
に基づいて、レーベル印刷データを生成するステップと、
生成した前記レーベル印刷データを、前記光ディスクメディアのレーベル面に印刷する
ステップと、をさらに備えていることを特徴とする請求項１１に記載のコンテンツ記録デ
ィスク作成システムの制御方法。
【請求項１３】
コンピュータに、請求項１１または１２に記載のコンテンツ記録ディスク作成システム
の制御方法を実行させるためのプログラム。
【発明の詳細な説明】
【技術分野】
【０００１】
情報記録可能な光ディスクメディア、コンテンツ記録ディスク作成システム、コンテン
ツ記録ディスク作成システムの制御方法およびそのプログラムに関する。
【背景技術】
【０００２】
近年、光ディスク媒体を広告媒体として利用する方法が提案されている。例えば、特許
文献１には、ディスク媒体に製品情報を記録すると共に、その表面に製品の広告文を印刷
したものを、カタログとして顧客に提供する方法が記載されている。
【特許文献１】特開２００２−２５８７８４号公報
【発明の開示】
【発明が解決しようとする課題】
【０００３】
ところが、情報未記録状態の光ディスク媒体である、光ディスクメディアを、広告媒体
として利用する方法は、未だ提案されていない。
【０００４】
本発明は、上記の問題点に鑑み、広告媒体として利用可能な光ディスクメディア、コン
テンツ記録ディスク作成システム、コンテンツ記録ディスク作成システムの制御方法およ
びそのプログラムを提供することを目的とする。
【課題を解決するための手段】
【０００５】
本発明の光ディスクメディアは、所定時間だけ広告映像を再生させるための広告データ
の記録対象となる広告データ領域と、広告データの記録後に追記可能な通常データの記録
対象となる通常データ領域と、を有していることを特徴とする。
【０００６】
この構成によれば、光ディスクメディアの再生時に、所定時間だけ広告映像が再生され
るため、光ディスクメディアを広告媒体として利用することができる。また、これにより
光ディスクメディアの低廉化を図ることができ、広告提供者のみならず消費者にとっても
メリットがある。
【０００７】
上記の光ディスクメディアにおいて、広告データ領域は、通常データを追記してファイ
ナライズされた場合、書き換え不能にフォーマットされていることが好ましい。
【０００８】
この構成によれば、通常データを追記してファイナライズされた場合、広告データ領域
は書き換え不能にフォーマットされているため、広告媒体としての機能が失われることが
ない。すなわち、光ディスクメディアの再生時に、広告映像が繰り返し再生されることに
なるため、高い広告効果を得ることができる。
【０００９】
上記の光ディスクメディアにおいて、広告データ領域は、リードイン領域の外周側に形
成され、通常データ領域は、広告データ領域の外周側に形成されていることが好ましい。
【００１０】
この構成によれば、広告データ領域は、リードイン領域の外周側に形成されるため、光
ディスクメディアの記録および読み出しに支障を及ぼすことがない。すなわち、既存の光
ディスクレコーダーでも、本発明の光ディスクメディアに、通常データを記録することが
できる。
【００１１】
本発明のコンテンツ記録ディスク作成システムは、請求項１ないし３のいずれか１項に
記載の光ディスクメディアに、コンテンツファイルの記録サービスを行うコンテンツ記録
ディスク作成システムであって、光ディスクメディアに記録される複数のコンテンツファ
イルを記憶するコンテンツ記憶部と、光ディスクメディアを収容可能な光ディスクメディ
ア収容部と、コンテンツ記憶部に記憶されている複数のコンテンツファイルの中から所望
のコンテンツファイルを検索および選択するための操作部と、各種情報を表示する表示部
と、光ディスクメディアに書き込みを行う光ディスク記録部と、光ディスクメディアを取
り出すための光ディスクメディア取り出し部と、コンテンツファイルの検索候補、並びに
操作部により選択されたコンテンツファイルのタイトルおよび／またはその解説を含む内
容情報を表示部に表示する表示手段と、光ディスクメディア収容部から搬出された光ディ
スクメディアの通常データ領域に対し、操作部により選択されたコンテンツファイルを光
ディスク記録部により記録するコンテンツ記録手段と、コンテンツファイルの記録が完了
した作成済み光ディスクを光ディスクメディア取り出し部に排出する光ディスクメディア
排出手段と、表示手段、コンテンツ記録手段および光ディスクメディア排出手段を制御す
る中央制御手段と、を備えていることを特徴とする。
【００１２】
この構成によれば、コンテンツファイルの記録サービスを行うキオスク端末に、本発明
の光ディスクメディアを適用することができるため、サービス提供に伴う顧客満足度の向
上と、広告機能の向上とを同時に達成することができる。また、光ディスクメディアは、
多くの人が保有するＤＶＤプレーヤーやＣＤプレーヤーで再生可能であるため、パーソナ
ルコンピュータや携帯電話を保有しないユーザでも受け入れられやすい。さらに、無人情
報端末であるキオスク端末においてコンテンツ記録ディスク作成サービスを実現するため
、店舗側にとっては人件費が削減できるというメリットがあり、顧客側にとっては人目を
気にせず好みのコンテンツファイルを選択できるといったメリットがある。
【００１３】
上記のコンテンツ記録ディスク作成システムにおいて、光ディスクメディア収容部に収
容されている光ディスクメディアの広告データ領域には、広告データが予め記録されてい
ることが好ましい。
【００１４】
この構成によれば、キオスク端末で広告データを記録する必要がないため、光ディスク
メディアへの記録時間をコンテンツファイルの記録時間だけに留めることができる。
【００１５】
上記のコンテンツ記録ディスク作成システムにおいて、中央制御手段は、光ディスクメ
ディアの広告データ領域に、広告データを光ディスク記録部により記録する広告データ記
録手段をさらに制御することが好ましい。
【００１６】
この構成によれば、キオスク端末によって広告データを記録するため、光ディスクメデ
ィアに予め広告データを記録しておく必要がない。
【００１７】
上記のコンテンツ記録ディスク作成システムにおいて、広告データとして記録するため
の複数の広告データファイルを記憶する広告データ記憶部をさらに備え、広告データ記録
手段は、広告データ記憶部から操作部により選択されたコンテンツファイルに関連する広
告データファイルを抽出し、抽出した当該広告データファイルを記録することが好ましい
。
【００１８】
この構成によれば、広告データ記憶部から、ユーザが選択したコンテンツファイルに関
連する広告データを抽出して記録するため、より高い広告効果を得ることができる。
【００１９】
上記のコンテンツ記録ディスク作成システムにおいて、中央制御手段は、操作部による
コンテンツファイルの選択結果に基づいて、光ディスクメディアのレーベル面に印刷する
レーベル印刷データを生成するレーベル印刷データ生成手段と、コンテンツ記録手段によ
る記録前後の光ディスクメディアに対し、レーベル印刷データ生成手段により生成された
レーベル印刷データを印刷する印刷手段と、をさらに制御し、光ディスクメディア排出手
段は、コンテンツファイルおよび広告データの記録、並びにレーベルの印刷を完了した光
ディスクメディアをメディア取り出し部に排出することが好ましい。
【００２０】
この構成によれば、ユーザが選択したコンテンツファイルに応じて、光ディスクメディ
アのレーベル面（ラベル面）にレーベル印刷を行うため、光ディスクメディアを再生させ
なくとも、その表面を見ただけで記憶されているコンテンツファイルの内容をユーザが把
握することができる。
【００２１】
上記のコンテンツ記録ディスク作成システムにおいて、レーベル印刷データ生成手段は
、操作部により選択されたコンテンツファイルに関連する広告データファイルに基づいて
、レーベル印刷データを生成することが好ましい。
【００２２】
この構成によれば、レーベル印刷データは、選択されたコンテンツファイルに関連する
広告データファイルに基づいて生成するため、光ディスクメディアのレーベル面も広告媒
体として利用することができる。
【００２３】
上記のコンテンツ記録ディスク作成システムにおいて、中央制御手段は、コンテンツフ
ァイルおよび広告データファイルの再生順位を設定する再生順位設定手段をさらに制御し
、コンテンツ記録手段および広告データ記録手段は、設定された再生順位に基づいて、選
択されたコンテンツファイルおよび抽出された広告データファイルを、光ディスクメディ
アに記録することが好ましい。
【００２４】
この構成によれば、ユーザの好みに応じて、コンテンツファイルと広告データファイル
の再生順位を設定することができる。
【００２５】
本発明のコンテンツ記録ディスク作成システムの制御方法は、コンテンツファイルを記
憶するコンテンツファイル記憶部と、広告データファイルを記憶する広告データファイル
記憶部と、を有し、コンテンツファイルおよび広告データファイルを光ディスクメディア
に記録して顧客に提供するコンテンツ記録ディスク作成システムの制御方法であって、コ
ンテンツファイル記憶部に記憶されているコンテンツファイルのタイトルおよび／または
その解説を含む内容情報を表示するステップと、表示したコンテンツファイルの中から所
望のコンテンツファイルを選択させるステップと、広告データファイル記憶部から、選択
されたコンテンツファイルに関連する広告データファイルを抽出するステップと、コンテ
ンツファイルおよび広告データファイルの再生順位を設定するステップと、設定された再
生順位に基づいて、選択されたコンテンツファイルと、抽出された広告データファイルと
を、光ディスクメディアに記録するステップと、記録後の光ディスクメディアをファイナ
ライズするステップと、ファイナライズ後の光ディスクメディアを排出するステップと、
を備えていることを特徴とする。
【００２６】
この構成によれば、コンテンツファイルを、多くの人が保有するＤＶＤプレーヤーやＣ
Ｄプレーヤーで再生可能な光ディスクメディアに記録するため、パーソナルコンピュータ
や携帯電話を保有しないユーザにでも受け入れられやすいサービスを提供することができ
る。また、コンテンツ記録ディスク作成サービスを有料とした場合、コンテンツファイル
と共に広告データファイルを記録するため、コンテンツ記録ディスク作成に要する料金の
低廉化を図ることができ、広告提供者のみならず消費者にとってもメリットがある。さら
に、コンテンツファイルおよび広告データファイルの再生順位を設定することができるた
め、ユーザのニーズや好みに応じた光ディスクを作成することができる。
【００２７】
上記のコンテンツ記録ディスク作成システムの制御方法において、選択されたコンテン
ツファイルおよび／または抽出された広告データファイルに基づいて、レーベル印刷デー
タを生成するステップと、生成したレーベル印刷データを、光ディスクメディアのレーベ
ル面に印刷するステップと、をさらに備えていることが好ましい。
【００２８】
この構成によれば、ユーザが選択したコンテンツファイルに応じて、光ディスクメディ
アのレーベル面（ラベル面）にレーベル印刷を行うため、光ディスクメディアを再生させ
なくとも、その表面を見ただけで記憶されているコンテンツファイルの内容をユーザが把
握することができる。また、広告データファイルに基づいてレーベル印刷データを生成す
る場合は、光ディスクメディアのレーベル面も広告媒体として利用することができる。
【００２９】
本発明のプログラムは、コンピュータに、上記のコンテンツ記録ディスク作成システム
の制御方法を実行させるためのものであることを特徴とする。
【００３０】
このプログラムを実行することにより、広告媒体として利用可能な光ディスクメディア
を用いて、販売促進に有効なコンテンツファイルの記録サービスを実現し得るコンテンツ
記録ディスク作成システムの制御方法を実現することができる。
【発明を実施するための最良の形態】
【００３１】
以下、本発明の一実施形態に係る光ディスクメディア、コンテンツ記録ディスク作成シ
ステム、コンテンツ記録ディスク作成システムの制御方法およびそのプログラムについて
、添付図面を参照しながら詳細に説明する。本発明は、光ディスクメディアに広告データ
を記録し、当該光ディスクメディアを広告媒体として利用する方法に関するものである。
そこで、以下、本発明の光ディスクメディアに、ＤＩＹ作業に関するコンテンツファイル
を、キオスク端末を用いて記録し、その作成済み光ディスクを顧客に提供するコンテンツ
記録ディスク作成システムを例に挙げて説明する。
【００３２】
図１は、本発明のコンテンツ記録ディスク作成システムＳＹを実現するためのキオスク
端末１０の装置構成図である。同図に示すように、キオスク端末１０は、顧客（ユーザ）
により操作されるタッチパネル１１と、タッチパネル１１により選択されたコンテンツフ
ァイルの内容等を表示するディスプレイ１２と、コンテンツ記録ディスク作成料金の電子
決済を行うためのクレジットカードを挿入するクレジットカード挿入口１４と、ＤＩＹ作
業に関するコンテンツファイルが記録された作成済みのＤＶＤ−Ｒ（作成済み光ディスク
）７３を顧客が取り出すための光ディスク取り出し部１６と、ＤＩＹ作業に関する作業情
報が印刷された印刷済みの説明書（紙媒体）７１を顧客が取り出すための紙媒体取り出し
部１７と、を備えている。
【００３３】
また、キオスク端末１０の内部には、複数のコンテンツファイルを記憶するコンテンツ
記憶部１１０と、１枚以上のＤＶＤ−Ｒメディア７２（光ディスクメディア，図２参照）
を収容する光ディスクメディア収容部１１１と、説明書７１が印刷される紙媒体を収容す
る紙媒体収容部１１２と、光ディスクメディア収容部１１１から搬出されたＤＶＤ−Ｒメ
ディア７２に、コンテンツファイルを書き込む光ディスク記録部１１５と、ＤＶＤ−Ｒメ
ディア７２のレーベル面、および紙媒体収容部１１２から搬出された紙媒体に印刷を行う
印刷部１１６と、を備えている（いずれも図４参照）。
【００３４】
図２は、光ディスクメディア収容部１１１に収容されるＤＶＤ−Ｒメディア７２の構造
を示したものである。ＤＶＤ−Ｒメディア７２は、その内周側から、リードイン領域Ｅ０
１、データ領域Ｅ１０、リードアウト領域Ｅ０２が形成されている。リードイン領域Ｅ０
１およびリードアウト領域Ｅ０２は、ＤＶＤ−Ｒメディア７２の使い方に関する情報を記
録するための領域であり、データ領域Ｅ１０は、データを記録するための領域である。
【００３５】
また、リードイン領域Ｅ０１は、その最内周にＰＣＡ（Power Calibration Area）およ
びＲＭＡ（Recording Management Area）から成る記録情報管理領域を有している。また
、その他にもリードイン領域Ｅ０１には、リファレンスコード、ディスクの種類、記録密
度、最大転送レート、層構造、データ領域Ｅ１０の最終アドレス等のコントロールデータ
が記録されており、これらの情報の読み取り結果に基づいて、光ディスク記録部１１５に
よる記録が行われる。
【００３６】
データ領域Ｅ１０は、再生開始から所定時間だけ広告映像を再生させるための広告デー
タの記録対象となる広告データ領域Ｅ１１と、広告データの記録後に追記可能な通常デー
タの記録対象となる通常データ領域Ｅ１２と、から成る。本実施形態では、この広告デー
タ領域に、予め広告データが記録されているＤＶＤ−Ｒメディア７２が、キオスク端末１
０内の光ディスクメディア収容部１１１に収容される。また、通常データ領域Ｅ１２には
、顧客により選択されたコンテンツファイルがキオスク端末１０によって記録される。
【００３７】
なお、ＤＶＤ−Ｒメディア７２は、一旦データを記録した後も、ディスク容量がいっぱ
いになるまで何度も追加記録ができるインクリメンタルライト記録方式により書き込みが
行われる。したがって、予め広告データが記録されていても支障なくコンテンツファイル
を記録することができる。但し、作成された作成済みＤＶＤ−Ｒ７３がＤＶＤ−ＲＯＭデ
ィスクと互換性がとれるように（汎用的なＤＶＤプレーヤーで再生できるように）、コン
テンツファイルの記録後は、ＤＶＤ−Ｒメディア７２にファイナライズ処理を行う。なお
、ファイナライズ処理後は、追加記録（書き換え）ができなくなるため、コンテンツファ
イルの再生時には必然的に広告データが視聴されることとなる。
【００３８】
次に、図３のフローチャートを参照し、キオスク端末１０におけるコンテンツ記録ディ
スク作成処理の概要について説明する。キオスク端末１０は、顧客による所定の操作によ
りコンテンツ記録ディスク作成処理の開始が指示されると、まず選択可能な複数のコンテ
ンツファイルのタイトルをタッチパネル１１およびディスプレイ１２上に表示する（Ｓ０
１）。顧客は、タッチパネル１１の操作により、表示された複数のタイトルの中から所望
するコンテンツファイルを選択する（Ｓ０２）。
【００３９】
そして、顧客により、ＤＶＤ作成実行が指示されると（Ｓ０３：Ｙｅｓ）、ＤＶＤ−Ｒ
メディア７２のレーベル面に印刷すべきレーベル印刷データを生成する（Ｓ０４）。また
、選択されたコンテンツファイルをＤＶＤ−Ｒメディア７２に記録し（Ｓ０６）、ファイ
ナライズ処理を行う（Ｓ０７）。さらに、生成しておいたレーベル印刷データを、ＤＶＤ
−Ｒメディア７２のレーベル面に印刷し（Ｓ０７）、作成済みＤＶＤ−Ｒ７３を、光ディ
スクメディア取り出し部１６に排出する（Ｓ０８）。
【００４０】
また、顧客により、説明書印刷実行が指示されると（Ｓ０９：Ｙｅｓ）、説明書に印刷
すべき紙媒体印刷データを生成し（Ｓ１０）、当該紙媒体印刷データに基づいて、紙媒体
に印刷を行う（Ｓ１１）。印刷後の説明書７１は、紙媒体取り出し部１７に排出する（Ｓ
１２）。
【００４１】
次に、図４を参照し、キオスク端末１０の機能構成について詳細に説明する。上記のと
おり、キオスク端末１０は、ハードウェア構成として、コンテンツ記憶部１１０、光ディ
スクメディア収容部１１１、紙媒体収容部１１２、操作部１１３（タッチパネル１１，図
１参照）、表示部１１４（ディスプレイ１２，図１参照）、光ディスク記録部１１５、印
刷部１１６、光ディスクメディア取り出し部１６および紙媒体取り出し部１７を有してい
る。
【００４２】
また、ソフトウェア構成（制御構成）として、表示手段１２１、レーベル印刷データ生
成手段１２２、紙媒体印刷データ生成手段１２３、コンテンツ記録手段１２４、印刷手段
１２５、光ディスクメディア排出手段１２６および紙媒体排出手段１２７を有している。
また、これら各手段は、中央制御手段１３０により制御されている。
【００４３】
コンテンツ記憶部１１０は、ＤＩＹの作業工程を示す複数のコンテンツファイルを記憶
するものであり、不揮発メモリ又は、ハードディスクドライブが適している。なお、コン
テンツファイルは、動画データであっても静止画データであっても良い。また、動画デー
タのみを記憶しておき、顧客からコンテンツ種別として静止画が選択された場合のみ、動
画データの一部を抽出して静止画データを生成する構成でも良い。
【００４４】
光ディスクメディア収容部１１１は、１枚以上のＤＶＤ−Ｒメディア７２を収容するも
のである。上記のとおり、当該光ディスクメディア収容部１１１に収容されているＤＶＤ
−Ｒメディア７２には、その広告データ領域Ｅ１１に予め広告データが記録されており、
未ファイナライズ状態となっている。
【００４５】
紙媒体収容部１１２は、ロール紙または単票紙を収容するものである。なお、紙媒体と
してロール紙を用いる場合は、これを切断する手段を紙媒体取り出し部１７近傍に有して
いることが好ましい。
【００４６】
操作部１１３は、顧客によって操作されるものであり、タッチパネル１１によってその
主要部が構成される。具体的には、ＤＶＤ作成を指示するための作成実行キー８６（図７
参照）や、説明書の印刷を指示するための印刷実行キー８８（図７参照）を含む。
【００４７】
表示手段１２１は、コンテンツ記憶部１１０に記憶されている複数のコンテンツファイ
ルのタイトルや、当該コンテンツファイルの中から顧客によって選択されたコンテンツフ
ァイルの解説を含む内容情報、コンテンツ記録ディスク作成料金など各種情報を表示部１
１４（ディスプレイ１２）に表示する。コンテンツ記録ディスク作成料金は、記録するコ
ンテンツファイルの数や、種類に応じて定まっており、コンテンツファイルの選択時（Ｄ
ＶＤ作成を指示するための作成実行キー８６の押下前）に表示される。
【００４８】
レーベル印刷データ生成手段１２２は、顧客が選択したコンテンツファイルに基づいて
、レーベル印刷を行うためのレーベル印刷データを生成する。具体的には、図１１に示す
ように、選択されたコンテンツファイルの題名１０４、並びにキオスク端末１０が設置さ
れている店舗名１０５を、ＤＶＤ−Ｒ７２のレーベル面に印刷するための印刷データを生
成する。コンテンツファイルの題名１０４を印刷するための情報は、選択されたコンテン
ツファイルの中から抽出されたものであり、店舗名１０５を印刷するための情報は、予め
キオスク端末１０内部のメモリに制御プログラムの一部として書き込まれているものであ
る。
【００４９】
紙媒体印刷データ生成手段１２３は、顧客が選択したコンテンツファイルに基づいて、
説明書に印刷するための印刷データを生成する。図１０に示すように、説明書７１には、
購入商品一覧１０１、売場案内１０２および提供メーカーの製品情報１０３が印刷される
が、これらの情報を印刷および／または表示するための情報は、予めキオスク端末１０内
部のメモリに制御プログラムの一部として書き込まれているものである。但し、購入商品
一覧１０１および製品情報１０３については、選択されたコンテンツファイルに応じてそ
の内容は変更される。
【００５０】
コンテンツ記録手段１２４は、光ディスクメディア収容部１１１から搬出されたＤＶＤ
−Ｒメディア７２に、選択されたコンテンツファイルを、光ディスク記録部１３１により
記録するものである。また、記録後は、ＤＶＤ−Ｒメディア７２のファイナライズ処理を
行う。
【００５１】
印刷手段１２５は、上記のコンテンツ記録手段１２４による記録後のＤＶＤ−Ｒ７２の
レーベル面に、レーベル印刷データ生成手段１２２によって生成されたレーベル印刷デー
タを、印刷部１１６により印刷するものである。また、印刷手段１２５は、説明書７１の
印刷が指示された場合、同じく印刷部１１６により、紙媒体収容部１１２から搬出された
紙媒体に購入品リスト１０１等を印刷する（図１０参照）。なお、印刷手段１２５は、レ
ーベル印刷用と紙媒体印刷用とに、それぞれ独立して設けられても良い。また、レーベル
印刷データの印刷は、コンテンツ記録手段１２４による記録前であっても良い。
【００５２】
光ディスクメディア排出手段１２６は、コンテンツ記録手段１２４による記録および印
刷手段１２５によるレーベル印刷が完了した作成済みＤＶＤ−Ｒ７３を光ディスクメディ
ア取り出し部１６に排出する。なお、光ディスクメディア取り出し部１６近傍には、作成
済みＤＶＤ−Ｒ７３を格納するためのケースまたは収納袋が収容される収容部が設置され
ていることが好ましい。また、紙媒体排出手段１２７は、印刷手段１２５による印刷が完
了した説明書７１を紙媒体取り出し部１７に排出する。
【００５３】
次に、図５ないし図１１を参照し、キオスク端末１０の動作について説明する。図５は
、操作開始時に表示される初期画面を示したものである。ここでは、コンテンツ記憶部１
１０に記憶されている複数のコンテンツファイルのジャンルとなるＤＩＹ作業の候補８１
（先頭メニュー）を、ディスプレイ１２上およびタッチパネル１１上に表示する。
【００５４】
ここで、顧客によるタッチパネル１１の操作により、例えば候補「屋外／外壁」が選択
されると、図６に示す画面に画面遷移する。図６は、先頭メニューの候補の一つである「
屋外／外壁」の中から、さらに具体的な作業内容を選択するための画面を示したものであ
る。ここで、表示した候補８３の中から、例えば候補「トタン屋根を塗り替える」が選択
されると、図７に示す画面に画面遷移する。また、画面下部にある「先頭メニューへ戻る
」ボタン８２が押下されると、図５に示す画面に画面遷移する。
【００５５】
図７に示す画面には、「作業工程を確認する」ボタン８５、「必要な道具と材料を確認
する」ボタン８７、「ＤＶＤを作成する」ボタン８６および「説明書を印刷する」ボタン
８８が設けられている。「作業工程を確認する」ボタン８５が押下されると、図８に示す
画面に遷移する。また、「必要な道具と材料を確認する」ボタン８７が押下されると、図
９に示す画面に遷移する。
【００５６】
また、「ＤＶＤを作成する」ボタン８６が押下されると、ＤＶＤ作成を実行する。なお
、ＤＶＤ作成実行時は数十秒から数分の時間がかかることとなるが、この間（コンテンツ
記録中）には、予めキオスク端末１０内に格納されている広告映像をディスプレイ１２上
に表示する。これにより、広告提供を行うことができると共に、コンテンツ記録中も顧客
を退屈させることがない。
【００５７】
また、「説明書を印刷する」ボタン８８が押下されると、図１０に示す説明書７１（選
択されたコンテンツファイル「トタン屋根を塗り替える」の作業工程に関する材料、工具
、道具、当該材料、工具および道具の売場、価格等の作業情報が印刷された紙媒体）を印
刷する。
【００５８】
なお、画面下部の「「屋根／外壁」へ戻る」ボタン８４が押下されると、図６に示す画
面に、また、「先頭メニューへ戻る」ボタン８２が押下されると、図５に示す画面に画面
遷移する。
【００５９】
図８は、図７に示す画面において、「作業工程を確認する」ボタン８５が押下された場
合に遷移する画面を示したものである。同画面では、コンテンツファイル「トタン屋根を
塗り替える」に含まれる各チャプター（ここでは、チャプター１〜チャプター４）の概要
９２を表示する。また、同画面には、コンテンツファイル「トタン屋根を塗り替える」の
動画（映像）を最初から再生させる（ディスプレイ１２上に表示させる）ための「最初か
ら再生」ボタン９３、チャプター毎に再生させるためのボタン（チャプター１再生用ボタ
ン９３、チャプター２再生用ボタン９４、チャプター３再生用ボタン９５、チャプター４
再生用ボタン９６）が設けられている。
【００６０】
なお、画面下部の「「トタン屋根を塗り替える」へ戻る」ボタン９１が押下されると、
図７に示す画面に、また、「先頭メニューへ戻る」ボタン８２が押下されると、図５に示
す画面に画面遷移する。
【００６１】
図９は、図７に示す画面において、「必要な道具と材料を確認する」ボタン８７が押下
された場合に遷移する画面を示したものである。同画面には、トタン屋根の面積を入力す
るための入力ボックス９８ａが設けられており、その入力値に応じて購入品に含まれる材
料の量および価格（売値）を算出すると共に、購入品リスト９８を表示する。
【００６２】
なお、画面下部の「印刷する」ボタン９７が押下されると、図１０に示す説明書７１を
印刷する。また、「「トタン屋根を塗り替える」へ戻る」ボタン９１が押下されると、図
７に示す画面に、また、「先頭メニューへ戻る」ボタン８２が押下されると、図５に示す
画面に画面遷移する。
【００６３】
図１０は、図７に示す画面において「説明書を印刷する」ボタン８８が押下された場合
、または図９に示す画面において「印刷する」ボタン９７が押下された場合に印刷される
説明書７１を示したものである。説明書７１には、図９に示す画面に表示された購入品リ
スト９８に相当する購入商品一覧１０１と、その店舗内におけるそれら購入品の売場案内
１０２と、広告情報としての製品情報１０３と、が印刷される。
【００６４】
購入商品一覧１０１には、材料名や道具名の他、そのＪＡＮコード、価格、数量、売場
が示されている。すなわち、顧客は、この購入商品一覧１０１を見ながら、トタン屋根を
塗り替えるために必要な材料や道具の買い物ができるようになっている。また、売場案内
１０２には、購入商品一覧１０１に示される売場記号と対応して、その売場と売場記号と
が示されている。
【００６５】
一方、製品情報１０３は、顧客によるコンテンツファイルの選択結果に基づき、購入商
品一覧１０１（購入品リスト９８，図９参照）に含まれる材料メーカーや道具メーカーの
製品情報１０３が説明書７１に印刷される。すなわち、メーカーは、この製品情報１０３
により、材料や道具を購入しようとしている顧客に対し、自社の製品を直接アピールする
ことができる。
【００６６】
図１１は、作成済みＤＶＤ−Ｒ７３のレーベル面を示したものである。同図に示すよう
に、レーベル面には、顧客が選択したコンテンツファイルの題名１０４、並びにキオスク
端末１０が設置されている店舗名１０５が印刷される。また、特に図示しないが、作成済
みＤＶＤ−Ｒ７３の記録面には、その広告データ領域Ｅ１１（図２参照）に広告データが
、また通常データ領域Ｅ１２（図２参照）に顧客が選択したコンテンツファイルがそれぞ
れ記録されている。
【００６７】
以上、説明したとおり、本実施形態によれば、キオスク端末１０により作成された作成
済みＤＶＤ−Ｒ７３の再生時に、再生開始から所定時間だけ広告映像が再生されるため、
ＤＶＤ−Ｒメディア７２を広告媒体として利用することができる。また、これによりＤＶ
Ｄ−Ｒメディア７２およびＤＶＤ作成料金の低廉化を図ることができ、広告提供者のみな
らず消費者にとってもメリットがある。
【００６８】
また、光ディスクメディアとして、通常データ記録後にファイナライズすることで追記
不可能となるＤＶＤ−Ｒメディア７２を用いているため、広告媒体としての機能が失われ
ることがない。すなわち、作成済みＤＶＤ−Ｒ７３アの再生時に、広告映像が繰り返し再
生されることになるため、高い広告効果を得ることができる。
【００６９】
また、広告データ領域は、リードイン領域Ｅ０１の外周側に形成されるため、ＤＶＤ−
Ｒメディア７２の記録および読み出しに支障を及ぼすことがない。すなわち、既存の光デ
ィスクレコーダーでも、本発明のＤＶＤ−Ｒメディア７２に、コンテンツファイルを記録
することができる。
【００７０】
また、コンテンツファイルの記録サービスを行うキオスク端末１０に、本発明のＤＶＤ
−Ｒメディア７２を適用することができるため、サービス提供に伴う顧客満足度の向上と
、広告機能の向上とを同時に達成することができる。また、ＤＶＤ−Ｒメディア７２は、
多くの人が保有する一般的なＤＶＤプレーヤーやＣＤプレーヤーで再生可能であるため、
パーソナルコンピュータや携帯電話を保有しないユーザでも受け入れられやすい。さらに
、無人情報端末であるキオスク端末においてコンテンツ記録ディスク作成サービスを実現
するため、店舗側にとっては人件費が削減できるというメリットがあり、顧客側にとって
は人目を気にせず好みのコンテンツファイルを選択できるといったメリットがある。
【００７１】
また、ＤＶＤ−Ｒメディア７２には、予め広告データが記録されているため、キオスク
端末１０で広告データを記録する必要がなく、ＤＶＤ−Ｒメディア７２への記録時間をコ
ンテンツファイルの記録時間だけに留めることができる。すなわち、顧客の待ち時間を短
くすることができる。
【００７２】
なお、上記の例では、未ファイナライズ状態のＤＶＤ−Ｒメディア７２にコンテンツフ
ァイルを追記して提供するサービスを例示したが、これに限らず、本発明のＤＶＤ−Ｒメ
ディア７２（広告データが既に記録されていると共に通常データが未記録のメディア）を
、メディア単体として販売することも可能である。また、メディアの種類も、ＤＶＤ−Ｒ
に限らず、他のＤＶＤメディアやＣＤメディアであっても良い。さらに、広告データ領域
Ｅ１１のフォーマットと、通常データ領域Ｅ１２のフォーマットが異なるメディアであっ
ても良い。但し、この場合にも、広告媒体としての機能が継続するように、広告データ領
域Ｅ１１が書き換え不能な状態で販売されることが好ましい。すなわち、広告データ領域
Ｅ１１には、通常データの記録が禁止されることが好ましい。
【００７３】
また、ＤＶＤ−Ｒメディア７２のレーベル面に、予め広告情報を印刷しておき、レーベ
ル面自体も広告媒体として利用できるようにしても良い。
【００７４】
さらに、広告データ領域Ｅ１１は、通常データ領域Ｅ１２の内周側に限らず、通常デー
タ領域Ｅ１２の外周側（リードアウト領域Ｅ０２の内周側）に形成されても良いし、通常
データ領域Ｅ１２の一部として形成されても良い。
【００７５】
続いて、図１２ないし図１６を参照し、本発明の第２実施形態について説明する。上記
の実施形態では、ＤＶＤ−Ｒメディア７２に、予め広告データが記録されているものとし
たが、本実施形態ではキオスク端末１０において広告データを記録する点で異なる。そこ
で、上記の実施形態と異なる点を中心に説明する。また、同一の機能を有する構成要素に
ついては、同一の参照番号を付して説明を省略する。また、本実施形態では、ＤＶＤ−Ｒ
メディア７２のデータ領域Ｅ１０（図２参照）に、広告データ領域Ｅ１１と通常データ領
域Ｅ１２との区別が無い一般的なものを用いるものとする。
【００７６】
図１２は、第２実施形態に係るキオスク端末１０の機能構成を示すブロック図である。
第１実施形態のブロック図（図４参照）と比較すると、広告データ記憶部２１１と、再生
順位設定手段２２１と、広告データ記録手段２２２とが追加された構成となっている。
【００７７】
広告データ記憶部２１１は、ＤＶＤ−Ｒメディア７２に記録するための複数の広告デー
タファイルを記憶する。なお、コンテンツ記憶部１１０および広告データ記憶部２１１に
記憶されているコンテンツファイルと広告データファイルは、互いに関連づけるためのデ
ータが付加されており、これらがセットでＤＶＤ−Ｒメディア７２に記録されるようにな
っている。すなわち、ＤＶＤ−Ｒメディア７２に記録される広告データファイルは、顧客
により選択されたコンテンツファイルに含まれる材料メーカー、工具メーカーまたは道具
メーカーの広告データが対象となる。
【００７８】
再生順位設定手段２２１は、コンテンツファイルと広告データファイルとの再生順位を
設定するものである。なお、コンテンツファイルが複数選択された場合は、その複数のコ
ンテンツファイルに対して再生順位が設定される。また、コンテンツファイルが複数の広
告データファイルと関連づけられていることにより、複数の広告データファイルが存在す
る場合も、それら複数の広告データファイルに対して再生順位が設定される。
【００７９】
広告データ記録手段２２２は、広告データ記憶部２１１に記憶されている広告データフ
ァイルの中から、顧客により選択されたコンテンツファイルに関連するものを抽出して、
光ディスク記録部１１５によりＤＶＤ−Ｒメディア７２に記録する。また、コンテンツ記
録手段１２４と協働し、再生順位設定手段２２１により設定された再生順位に応じて、抽
出した１以上の広告データファイルを記録する。
【００８０】
次に、図１３のフローチャートを参照し、第２実施形態に係るキオスク端末１０のコン
テンツ記録ディスク作成処理の概要について説明する。本実施形態では、コンテンツファ
イルのタイトルを複数表示し（Ｓ２１）、その中から顧客の所望するコンテンツファイル
が選択されると（Ｓ２２）、広告データ記憶部２１１の中から、選択されたコンテンツフ
ァイルに関連する広告データファイルを抽出する（Ｓ２３）。
【００８１】
そして、顧客により、ＤＶＤ作成実行が指示されると（Ｓ２４：Ｙｅｓ）、まず第１実
施形態と同様に、ＤＶＤ−Ｒメディア７２のレーベル面に印刷すべきレーベル印刷データ
を生成する（Ｓ２５）。また、再生順位が設定されると（Ｓ２６：Ｙｅｓ）、再生順位を
編集し、コンテンツファイルおよび広告データファイルの記録順位を決定する（Ｓ２７）
。その後、決定した記録順位にしたがって、選択されたコンテンツファイルおよびそれに
関連する広告データファイルを記録し（Ｓ２８）、ファイナライズ処理を行う（Ｓ２９）
。さらに、生成しておいたレーベル印刷データを、ＤＶＤ−Ｒメディア７２のレーベル面
に印刷し（Ｓ３０）、作成済みＤＶＤ−Ｒ７３を、光ディスクメディア取り出し部１６に
排出する（Ｓ３１）。
【００８２】
また、顧客により、説明書印刷実行が指示されると（Ｓ３２：Ｙｅｓ）、説明書に印刷
すべき紙媒体印刷データを生成し（Ｓ３３）、これを紙媒体に印刷して（Ｓ３４）、紙媒
体取り出し部１７に排出する（Ｓ３５）。
【００８３】
次に、図１４ないし図１６を参照し、第２実施形態に係るキオスク端末１０の動作につ
いて説明する。図１４は、第１実施形態の図７に相当する画面（ＤＶＤ作成実行、および
説明書印刷実行を指示するための画面）を示したものである。図１４に示す画面には、「
再生順位を設定する」ボタン９７が設けられ、当該ボタン９７が押下されると、図１５に
示す画面に遷移する。
【００８４】
図１５に示す画面には、ユーザにより選択されたコンテンツファイルのタイトル「トタ
ン屋根を塗り替える」の他に、当該コンテンツファイルに関連する３つの広告データファ
イル名が表示され、その再生順位を、入力ボックス９９への数値入力によって設定できる
ようになっている。なお、「ホームセンターＨ広告情報」は、キオスク端末１０が設置さ
れている店舗の広告情報であり、コンテンツファイルの選択結果に拘わらず、必ず抽出さ
れる広告データファイルである。
【００８５】
例えば、同図に示すように、再生順位が設定されたものとすると、作成済みＤＶＤ−Ｒ
７３の再生時には、「ＡＢ社広告情報」→「ＣＤ社広告情報」→コンテンツファイル「ト
タン屋根を塗り替える」→「ホームセンターＨ広告情報」の順に、再生が行われる。すな
わち、光ディスク記録部１１５における記録も、データ領域Ｅ１０の内周側からこれらの
順序に従って行われる。
【００８６】
なお、図１５に示す画面において、入力ボックス９９に数値入力が行われなかった場合
（再生順位が設定されなかった場合）は、画面に表示された順序（「ホームセンターＨ広
告情報」→「ＡＢ社広告情報」→「ＣＤ社広告情報」→コンテンツファイル「トタン屋根
を塗り替える」）の順に再生（記録）されることとなる。すなわち、広告情報を優先的に
再生することで、高い広告効果を得ることができる。
【００８７】
図１６は、本実施形態に係る作成済みＤＶＤ−Ｒ７３のレーベル面を示したものである
。同図に示すように、レーベル面には、顧客が選択したコンテンツファイルの題名１０４
、並びにキオスク端末１０が設置されている店舗名および提供メーカー名（選択されたコ
ンテンツファイルに含まれる材料メーカー名、工具メーカー名または道具メーカー名）１
０６が印刷される。さらに、設定された再生順位（再生順位の設定が行われなかった場合
は、デフォルト設定の再生順位）にしたがって、再生プログラムリスト２０１ないし２０
４が印刷される。なお、ここでは、プログラム名のみを印刷しているが、これらと共に各
店舗や提供メーカーの販促情報や製品情報を印刷するようにしても良い。
【００８８】
また、特に図示しないが、作成済みＤＶＤ−Ｒ７３の記録面には、そのデータ領域Ｅ１
０に、顧客が選択したコンテンツファイルや広告データファイルが、再生プログラムリス
ト２０１ないし２０４にしたがって記録されている。
【００８９】
以上、説明したとおり、本実施形態によれば、キオスク端末１０によって広告データフ
ァイルを記録するため、ＤＶＤ−Ｒメディア７２に予め広告データファイルを記録してお
く必要がない。また、ユーザが選択したコンテンツファイルに関連する広告データファイ
ルを記録するため、より高い広告効果を得ることができる。また、コンテンツファイルお
よび広告データファイルの再生順位を設定することができるため、ユーザの好みに応じた
光ディスクを作成することができる。
【００９０】
また、ユーザが選択したコンテンツファイルやこれに関連する広告データファイルに応
じて、光ディスクメディアのレーベル面（ラベル面）にレーベル印刷を行うため、光ディ
スクメディアを再生させなくとも、その表面を見ただけで記憶されているコンテンツファ
イルの内容をユーザが把握することができる。また、光ディスクメディアのレーベル面も
広告媒体として利用することができる。
【００９１】
なお、第２実施形態では、データ領域Ｅ１０（図２参照）に広告データ領域Ｅ１１と通
常データ領域Ｅ１２との区別が無い一般的なＤＶＤ−Ｒメディア７２を用いるものとした
が、図２に示すように、広告データ領域Ｅ１１と通常データ領域Ｅ１２とが形成されてい
るＤＶＤ−Ｒメディア７２に、コンテンツファイルや広告データファイルを記録するよう
にしても良い。この場合、広告データ領域Ｅ１１に広告データファイルが、また通常デー
タ領域Ｅ１２にコンテンツファイルが記録されることとなる。また、コンテンツ記録手段
１２４と広告データ記録手段２２２とによる記録順序は、ＤＶＤ−Ｒメディア７２の内周
側から、広告データ記録手段２２２による広告データファイルの記録→コンテンツ記録手
段１２４によるコンテンツファイルの記録の順となる。また、この場合、設定された再生
順位にしたがって再生されるように、再生順序に関するデータが、コンテンツファイルお
よび／または広告データファイルと共にＤＶＤ−Ｒメディア７２の所定の領域に記録され
る。
【００９２】
また、上記の２つの実施形態では、キオスク端末１０によりコンテンツ記録ディスク作
成サービスを実現する場合について例示したが、キオスク端末１０を用いなくとも、図４
や図１２のブロック図に示す構成要素を１台以上の装置で構成したコンテンツ記録ディス
ク作成システムＳＹで、上記のコンテンツ記録ディスク作成サービスを実現するようにし
ても良い。
【００９３】
また、上記の例に示したキオスク端末１０の各構成要素（各機能）をプログラムとして
提供することも可能である。また、そのプログラムを記録媒体（図示省略）に格納して提
供することも可能である。記録媒体としては、ＣＤ−ＲＯＭ、フラッシュＲＯＭ、メモリ
カード（コンパクトフラッシュ（登録商標）、スマートメディア、メモリースティック等
）、コンパクトディスク、光磁気ディスク、デジタルバーサタイルディスクおよびフレキ
シブルディスク等を利用することができる。
【００９４】
また、上記の実施形態によらず、キオスク端末１０の装置構成、光ディスクメディアの
種類など、本発明を逸脱しない範囲で適宜変更が可能である。
【図面の簡単な説明】
【００９５】
【図１】キオスク端末の装置構成図である。
【図２】ＤＶＤ−Ｒメディアの構造を示す図である。
【図３】キオスク端末におけるコンテンツ記録ディスク作成処理を示すフローチャートである。
【図４】キオスク端末のブロック図である。
【図５】キオスク端末の画面表示例を示す図である。
【図６】図５に続く、キオスク端末の画面表示例を示す図である。
【図７】図６に続く、キオスク端末の画面表示例を示す図である。
【図８】図７に続く、キオスク端末の画面表示例を示す図である。
【図９】図７に続く、キオスク端末の画面表示例を示す図である。
【図１０】キオスク端末から発行される説明書の一例を示す図である。
【図１１】キオスク端末から発行される作成済みＤＶＤ−Ｒの一例を示す図である。
【図１２】第２実施形態に係るキオスク端末のブロック図である。
【図１３】第２実施形態に係るコンテンツ記録ディスク作成処理を示すフローチャートである。
【図１４】第２実施形態に係るキオスク端末の画面表示例を示す図である。
【図１５】図１４に続く、キオスク端末の画面表示例を示す図である。
【図１６】第２実施形態に係る作成済みＤＶＤ−Ｒの一例を示す図である。
【符号の説明】
【００９６】
１０：キオスク端末，１１：タッチパネル，１２：ディスプレイ，７１：説明書，７２
：ＤＶＤ−Ｒメディア，７３：作成済みＤＶＤ−Ｒ，Ｅ０１：リードイン領域，Ｅ０２：
リードアウト領域，Ｅ１０：データ領域，Ｅ１１：広告データ領域，Ｅ１２：通常データ
領域，ＳＹ：コンテンツ記録ディスク作成システム
【図１】
2007280457.tif 000003
【図２】
2007280457.tif 000004
【図３】
2007280457.tif 000005
【図４】
2007280457.tif 000006
【図５】
2007280457.tif 000007
【図６】
2007280457.tif 000008
【図７】
2007280457.tif 000009
【図８】
2007280457.tif 000010
【図９】
2007280457.tif 000011
【図１０】
2007280457.tif 000012
【図１１】
2007280457.tif 000013
【図１２】
2007280457.tif 000014
【図１３】
2007280457.tif 000015
【図１４】
2007280457.tif 000016
【図１５】
2007280457.tif 000017
【図１６】
2007280457.tif 000018